(57)【要約】【課題】各隅部のキャスターが同一水平面内に位置するので、移動に際して、４つのキャスターによる騒音を低く抑えることができるキャリーカバンを提供する。【解決手段】プラスチック製ボトムプレート３の４隅に同一水平面上に位置するようにキャスター２を取付け、キャスター２を取付けたボトムプレート３を裏返した状態の布製カバン本体４に配置し、カバン本体４の端部４ａを縫着ライン８，８によりボトムプレート３に取付け、カバン本体４に補強テープ９を縫着し、カバン本体４をボトムプレート３に対して反転して正常位置にする。【選択図】図３
2008055105.tif 000002
【特許請求の範囲】
【請求項１】
底部の四隅にキャスターを取り付けたボトムプレートと、ボトムプレートに取り付けられたカバン本体とを有するキャリーカバンにおいて、
ボトムプレートは、底部と、底部の周縁に一体に形成された取付け部とを有するプラスチック成形品であり、
キャスターは、ボトムプレートの底部の四隅に同一水平面内に位置するようにリベット手段により取付けられ、
カバン本体は、布製であり、裏返した状態に配置され、端部をキャスターを取付けたボトムプレートを囲むように配置され、端部を縫着ラインによりボトムプレートの取付け部に取付け、補強テープを縫着した後、正常位置に反転されたことを特徴とするキャリーカバン。
【請求項２】
プラスチック製ボトムプレートの４隅に同一水平面上に位置するようにキャスターを取付け、キャスターを取付けたボトムプレートを裏返した状態の布製カバン本体に配置し、カバン本体の端部を縫着ラインによりボトムプレートに取付け、カバン本体に補強テープを縫着し、カバン本体をボトムプレートに対して反転して正常位置にすることを特徴とするキャリーカバンの製造方法。
【発明の詳細な説明】
【技術分野】
【０００１】
本発明は、旅行カバンとしての使用に適したキャリーカバンおよびその製造方法に関する。
【背景技術】
【０００２】
一般に、キャリーカバンは、プラスチック製カバン本体と、カバン本体の底面に配置したキャスターを備えた構造である。キャリーカバンは、カバン本体の内部に多量の内容物を収容して全体重量が重くなっても、引き手を引っ張り、キャスターを接地面に沿って回動させるることで楽に移動できる。
【０００３】
また、キャリーカバンには、布製カバン本体と、プラスチック製ボトムプレートとから構成され、布製カバン本体をプラスチック製ボトムプレートに結合した後、ボトムプレートの底面の四隅にキャスターを配置した形式のものも知られている。
【０００４】
この種のキャリーカバン２０の一例を図４に示す。図４に示すキャリーカバン２０は、布製カバン本体２１と、カバン本体２１の底面の四隅に固定されたキャスター２２，２２，２２，２２と、カバン本体２１に上方に突出自在に設けられた引き手２３とから構成されている（特許文献１）。
【０００５】
上記キャリーカバンは、ボトムプレートに設けたキャスターが２つである場合、移動に際して、傾斜した状態で引っ張るので、２つのキャスターを同一水平面内に位置させることの必要性はほとんどないが、ボトムプレートに設けたキャスターが４つである場合、各キャスターがボトムプレートの各隅部に配置されるので、移動に際して、４つのキャスターすべてを接地させた状態でキャリーカバンを引っ張るので、４つのキャスターを同一水平面内に位置させることが必要である。
【０００６】
【特許文献１】特開２００６−４３１４９号公報
【発明の開示】
【発明が解決しようとする課題】
【０００７】
しかしながら、上記形式のキャリーカバンは、カバン本体をボトムプレートに結合した後、キャスターをボルトナット手段を用いてボトムプレートの底面の四隅に固定しているので、４つのキャスターをボトムプレートの底面に同一水平面内に位置するように固定することが技術的に難かしい。
そこで、上記形式のキャリーカバンは、４つのキャスターを揺れに対する遊びを残すようにしてボトムプレートの底面に固定しいるので、キャリーカバンの移動に際して、キャリーカバンの４つのキャスターを接地させた状態で引っ張る時、４つのキャスターの遊びによる騒音を低く抑えることができない。
【０００８】
本発明は、上記欠点を解決することを目的に開発されたもので、キャリーカバンの４つのキャスターをすべて接地させた状態で引っ張る時の騒音を低く抑えることを可能にしたキャリーカバンおよびその製造方法を提供することにある。
【課題を解決するための手段】
【０００９】
本発明のキャリーカバンは、底部の四隅にキャスターを取り付けたボトムプレートと、ボトムプレートに取り付けられたカバン本体とを有し、ボトムプレートは、底部と、底部の周縁に一体に形成された取付け部とを有するプラスチック成形品であり、キャスターは、ボトムプレートの底部の四隅に同一水平面内に位置するようにリベット手段により取付けられ、カバン本体は、布製であり、キャスターを取付けたボトムプレートに裏返した状態で端部がボトムプレートの取付け部を囲むように配置され、端部を縫着ラインによりボトムプレートの取付け部に取付け、縫着ラインに沿って補強テープを縫着した後、正常位置に反転することで構成される。
【００１０】
本発明のキャリーカバンの製造方法は、プラスチック製ボトムプレートの４隅に同一水平面上に位置するようにキャスターを取付け、キャスターを取付けたボトムプレートに布製カバン本体を裏返した状態で配置し、カバン本体の端部を縫着ラインによりボトムプレートに取付け、カバン本体の縫着ラインの上に補強テープを縫着し、カバン本体をボトムプレートに対して反転して正常位置にすることで構成される。
【発明の効果】
【００１１】
本発明によるキャリーカバンは、布製カバン本体を裏返した状態で底面の各隅部にキャスターを同一水平面内に固定したプラスチック製ボトムプレートを取付け、布製カバン本体を正常位置に反転することで構成されるので、底面の各隅部のキャスターは同一水平面内に位置し、移動に際して、４つのキャスターによる騒音を低く抑えることができる。
【発明を実施するための最良の形態】
【００１２】
以下、本発明の実施例を図面に基づいて説明する。  
本発明によるキャリーカバン１は、図１に示すように、底面の四隅に水平方向に回動可能に配置されたキャスター２，２，２，２を有するボトムプレート３と、このボトムプレート３に取付けられたカバン本体４とを備えている。
【００１３】
ボトムプレート３は、ＡＢＳ樹脂材料で成形されたプレート本体５と、このプレート本体５の底面四隅に形成された取付け部６，６，６，６と、各取付け部６にリベット手段７により同一水平面内に位置するように取り付けられたキャスター２とを有する。
【００１４】
プレート本体５は、皿状底部５と、底部５ａの周縁から一体に立ち上がる周縁部５ｂとを有する。プレート本体５の周縁部５ｂは、薄く成形されており、ミシン機の針を容易に貫通できる構造である。
【００１５】
カバン本体４は、ポリエステル糸やナイロン糸のような合成繊維糸により織られた布を通常の縫製手段により箱形に成形され、底部側に開口端４ａを有する構造である。カバン本体４の開口端４ａは、プレート本体５の周縁部５ｂを囲むことができる寸法に設定されている。
カバン本体４は、裏返した状態て開口端４ａが上側に位置するように配置され、キャスター２を取付けたボトムプレート３がキャスター２を下側にして開口端４ａを通してカバン本体４の内部に装入される。
【００１６】
カバン本体４は、ボトムプレート３の嵌め込みが完了した後、図示しないミシン機を用いて縫着ライン８，８によりボトムプレート３の周縁部５ｂに縫着される。これにより、カバン本体４は、底部側に位置する開口端４ａの内部空間にキャスター２を取付けたボトムプレート３が取付けられる。
【００１７】
異形押出しテープ９は、ＰＶＣ樹脂材料により成形された小さいコ形部９ａと大きいコ形部９ｂとを有する構造である。異形押出しテープ９は、ボトムプレート３を取付けたカバン本体４の縫着ライン８，８の上または縫着ライン８，８の間に全周囲に延びるように配置される。そして、異形押出しテープ９は、図示しないミシン機による縫着ライン１０によりカバン本体４およびプレート本体５に縫着される。異形押出しテープ９は、カバン本体４を正常位置に反転した時のカバン本体４の補強材として作用する。
【００１８】
なお、カバン本体４には、図示しないが心材や他の部品が通常な手段で取り付けられる。
【００１９】
つぎに、本発明のキャリーカバンの製造方法を図３により説明する。  
ＡＢＳ樹脂材料で成形されたボトムプレート３を設け、ボトムプレート３の底面四隅の取付け部６に水平面に回動自在のキャスター２をリベット手段７により四隅に設けた各キャスター２が同一水平面内に位置するように取り付ける。
【００２０】
つぎに、布製カバン本体４を裏返した状態にし、裏返したカバン本体４を開口端４ａが上側に位置するように配置し、四隅にキャスター２を取付けたボトムプレート３をキャスター２を下側にして開口端４ａを通してカバン本体４に装入する。これにより、カバン本体４にボトムプレート３が嵌め込まれる。
【００２１】
つぎに、カバン本体４の開口端４ａとボトムプレート３の周縁部５ｂとを位置合わせし、カバン本体４の開口端４ａを図示しないミシン機の縫着ライン８，８によりボトムプレート３の周縁部５ｂに縫着する。
【００２２】
つぎに、異形押出しテープ９を縫着ライン８，８の上または縫着ライン８，８の間にカバン本体４の全周囲に延びるように配置し、全周囲に延びる異形押出しテープ９を、図示しないミシン機の縫着ライン１０によりカバン本体４およびプレート本体５に縫着する。
【００２３】
つぎに、裏返したカバン本体４をボトムプレート３に対して正常位置になるように反転する。そして、正常位置のカバン本体４に図示しないが心材や他の部品が通常な手段で取り付ける。これにより、底面四隅に同一水平面内に位置するキャスター２を有するキャリーカバンが作られる。
【図面の簡単な説明】
【００２４】
【図１】本発明によるのキャリーカバンの一部を示す側面図である。
【図２】図１に示すキャリーカバンのＩＩ−ＩＩ線に沿った断面図である。
【図３】本発明によるキャリーカバンの製造工程を示すブロック図である。
【図４】従来のキャリーカバンの斜視図である。
【符号の説明】
【００２５】
１  キャリーカバン
２  キャスター
３  ボトムプレート
４  カバン本体
６  ボトムプレートの取付け部
７  リベット手段
８  縫着ライン
９  異形押出しテープ
【図１】
2008055105.tif 000003
【図２】
2008055105.tif 000004
【図３】
2008055105.tif 000005
【図４】
2008055105.tif 000006